【手続補正書】
【提出日】平成29年6月30日(2017.6.30)
【手続補正１】
【補正対象書類名】特許請求の範囲
【補正対象項目名】請求項１
【補正方法】変更
【補正の内容】
【請求項１】
第１の入力端子と第２の入力端子の差動の信号を変調し
前記の変調された差動の信号を増幅し復調して第１の出力端子と第２の出力端子に出力する差動増幅回路を有し、
前記差動増幅回路は第１、第２の入力端子に入力された信号を第１のセレクタで選択して増幅して出力電流を生成し
第２のセレクタで前記の出力電流の出力先として第１、第２の出力端子を選択する信号増幅ユニットをＮ個（Ｎは４以上の偶数）と
前記Ｎ個の信号増幅ユニットが出力できる電流の合計値を制限する回路と
前記第１の出力端子に電流を供給する第１の電流源と
前記第２の出力端子に電流を供給する第２の電流源とを有し、
前記Ｎ個の信号増幅ユニットにおいて
第１のセレクタは第１の入力端子を選択し第２のセレクタは第１の出力端子を選択した状態１と
第１のセレクタは第２の入力端子を選択し第２のセレクタは第２の出力端子を選択した状態２の
２つの状態を切り替えるための信号増幅ユニット用制御信号をＮ個有し、
前記Ｎ個の信号増幅ユニット用制御信号は第１の周期で周期的に変化し、
前記Ｎ個の信号増幅ユニットの状態１と状態２のくみあわせの数が４パターン以上である
事を特徴とする演算増幅回路
【手続補正２】
【補正対象書類名】特許請求の範囲
【補正対象項目名】請求項２
【補正方法】変更
【補正の内容】
【請求項２】
第１の入力端子と第２の入力端子の差動の信号を変調し
前記の変調された差動の信号を増幅し復調して第１の出力端子と第２の出力端子に出力する差動増幅回路を有し、
前記差動増幅回路は第１、第２の入力端子に入力された信号を第１のセレクタで選択して増幅して出力電流を生成し
第２のセレクタで前記の出力電流を信号増幅手段１または信号増幅手段２を介して第１または第２の出力端子に出力するよう選択する信号増幅ユニットをＮ個と
前記Ｎ個の信号増幅ユニットが出力できる電流の合計値を制限する回路と
前記第１の出力端子に電流を供給する第１の電流源と
前記第２の出力端子に電流を供給する第２の電流源とを有し、
前記Ｎ個の信号増幅ユニットにおいて
第１のセレクタは第１の入力端子を選択し第２のセレクタは第１の出力端子を選択した状態１と
第１のセレクタは第２の入力端子を選択し第２のセレクタは第２の出力端子を選択した状態２の
２つの状態を切り替えるための信号増幅ユニット用制御信号をＮ個有し、
前記Ｎ個の信号増幅ユニット用制御信号は第１の周期で周期的に変化し、
前記Ｎ個の信号増幅ユニットの状態１と状態２のくみあわせの数が４パターン以上である
事を特徴とする演算増幅回路
【手続補正３】
【補正対象書類名】特許請求の範囲
【補正対象項目名】請求項７
【補正方法】変更
【補正の内容】
【請求項７】
第１の入力端子と第２の入力端子の差動の信号を変調し
前記の変調された差動の信号を増幅し復調して第１の出力端子と第２の出力端子に出力する差動増幅回路を有し、
前記差動増幅回路は第１、第２の入力端子に入力された信号を第１のセレクタで選択して増幅して出力電流を生成し
第２のセレクタで前記の出力電流の出力先として第１、第２の出力端子を選択する信号増幅ユニットをＮ個と
前記Ｎ個の信号増幅ユニットが出力できる電流の合計値を制限する回路と
前記第１の出力端子に電流を供給する第１の電流源と
前記第２の出力端子に電流を供給する第２の電流源とを有し、
前記Ｎ個の信号増幅ユニットにおいて
第１のセレクタは第１の入力端子を選択し第２のセレクタは第１の出力端子を選択した状態１と
第１のセレクタは第２の入力端子を選択し第２のセレクタは第２の出力端子を選択した状態２の
２つの状態を切り替えるための信号増幅ユニット用制御信号をＮ個有し、
前記Ｎ個の信号増幅ユニット用制御信号は第１の周期で周期的に変化し、
前記Ｎ個の信号増幅ユニットの状態１と状態２のくみあわせの数が２パターン以上であり、
前記第１、第２の電流源として、電流を第３のセレクタで第１、第２の出力端子に選択して出力する機能を有する電流源ユニットをＭ個有し、
前記電流源ユニットにおいて第３のセレクタは第１の出力端子を選択した状態３と、第２の出力端子を選択した状態４の
２つの状態を切り替えるための電流源ユニット用制御信号をＭ個有し、
前記Ｍ個の電流源ユニット用制御信号は第２の周期で周期的に変化し、
前記Ｍ個の電流源ユニットの状態３と状態４のくみあわせの数が４パターン以上である
事を特徴とする演算増幅回路
【手続補正４】
【補正対象書類名】特許請求の範囲
【補正対象項目名】請求項８
【補正方法】変更
【補正の内容】
【請求項８】
第１の入力端子と第２の入力端子の差動の信号を変調し
前記の変調された差動の信号を増幅し復調して第１の出力端子と第２の出力端子に出力する差動増幅回路を有し、
前記差動増幅回路は第１、第２の入力端子に入力された信号を第１のセレクタで選択して増幅して出力電流を生成し
第２のセレクタで前記の出力電流の出力先として第１、第２の出力端子を選択する信号増幅ユニットをＮ個と
前記Ｎ個の信号増幅ユニットが出力できる電流の合計値を制限する回路と
前記第１の出力端子に電流を供給する第１の電流源と
前記第２の出力端子に電流を供給する第２の電流源とを有し、
前記Ｎ個の信号増幅ユニットにおいて
第１のセレクタは第１の入力端子を選択し第２のセレクタは第１の出力端子を選択した状態１と
第１のセレクタは第２の入力端子を選択し第２のセレクタは第２の出力端子を選択した状態２の
２つの状態を切り替えるための信号増幅ユニット用制御信号をＮ個有し、
前記Ｎ個の信号増幅ユニット用制御信号は第１の周期で周期的に変化し、
前記Ｎ個の信号増幅ユニットの状態１と状態２のくみあわせの数が２パターン以上であり、
前記第１、第２の電流源として、電流を第３のセレクタで第１、第２の出力端子に選択して出力する機能を有する電流源ユニットをＭ個有し、
前記電流源ユニットの第３のセレクタと第１の出力端子の間には信号増幅手段３を有し、
前記電流源ユニットの第３のセレクタと第２の出力端子の間には信号増幅手段４を有し、
前記電流源ユニットにおいて第３のセレクタは第１の出力端子を選択した状態３と、第２の出力端子を選択した状態４の２つの状態を切り替えるための電流源ユニット用制御信号をＭ個有し、
前記Ｍ個の電流源ユニット用制御信号は第２の周期で周期的に変化し、
前記Ｍ個の電流源ユニットの状態３と状態４のくみあわせの数が４パターン以上である
事を特徴とする演算増幅回路
【手続補正５】
【補正対象書類名】特許請求の範囲
【補正対象項目名】請求項９
【補正方法】変更
【補正の内容】
【請求項９】
第１の入力端子と第２の入力端子の差動の信号を変調し
前記の変調された差動の信号を増幅し復調して第１の出力端子と第２の出力端子に出力する差動増幅回路を有し、
前記差動増幅回路は第１、第２の入力端子に入力された信号を第１のセレクタで選択して増幅して出力電流を生成し
第２のセレクタで前記の出力電流を信号増幅手段１または信号増幅手段２を介して第１または第２の出力端子に出力するよう選択する信号増幅ユニットをＮ個と
前記Ｎ個の信号増幅ユニットが出力できる電流の合計値を制限する回路と
前記第１の出力端子に電流を供給する第１の電流源と
前記第２の出力端子に電流を供給する第２の電流源とを有し、
前記Ｎ個の信号増幅ユニットにおいて
第１のセレクタは第１の入力端子を選択し第２のセレクタは第１の出力端子を選択した状態１と
第１のセレクタは第２の入力端子を選択し第２のセレクタは第２の出力端子を選択した状態２の
２つの状態を切り替えるための信号増幅ユニット用制御信号をＮ個有し、
前記Ｎ個の信号増幅ユニット用制御信号は第１の周期で周期的に変化し、
前記Ｎ個の信号増幅ユニットの状態１と状態２のくみあわせの数が２パターン以上であり、
前記第１、第２の電流源として、電流を第３のセレクタで第１、第２の出力端子に選択して出力する機能を有する電流源ユニットをＭ個有し、
前記電流源ユニットにおいて第３のセレクタは第１の出力端子を選択した状態３と、第２の出力端子を選択した状態４の
２つの状態を切り替えるための電流源ユニット用制御信号をＭ個有し、
前記Ｍ個の電流源ユニット用制御信号は第２の周期で周期的に変化し、
前記Ｍ個の電流源ユニットの状態３と状態４のくみあわせの数が４パターン以上である
事を特徴とする演算増幅回路
【手続補正６】
【補正対象書類名】特許請求の範囲
【補正対象項目名】請求項１０
【補正方法】変更
【補正の内容】
【請求項１０】
第１の入力端子と第２の入力端子の差動の信号を変調し
前記の変調された差動の信号を増幅し復調して第１の出力端子と第２の出力端子に出力する差動増幅回路を有し、
前記差動増幅回路は第１、第２の入力端子に入力された信号を第１のセレクタで選択して増幅して出力電流を生成し
第２のセレクタで前記の出力電流を信号増幅手段１または信号増幅手段２を介して第１または第２の出力端子に出力するよう選択する信号増幅ユニットをＮ個と
前記Ｎ個の信号増幅ユニットが出力できる電流の合計値を制限する回路と
前記第１の出力端子に電流を供給する第１の電流源と
前記第２の出力端子に電流を供給する第２の電流源とを有し、
前記Ｎ個の信号増幅ユニットにおいて
第１のセレクタは第１の入力端子を選択し第２のセレクタは第１の出力端子を選択した状態１と
第１のセレクタは第２の入力端子を選択し第２のセレクタは第２の出力端子を選択した状態２の
２つの状態を切り替えるための信号増幅ユニット用制御信号をＮ個有し、
前記Ｎ個の信号増幅ユニット用制御信号は第１の周期で周期的に変化し、
前記Ｎ個の信号増幅ユニットの状態１と状態２のくみあわせの数が２パターン以上であり、
前記第１、第２の電流源として、電流を第３のセレクタで第１、第２の出力端子に選択して出力する機能を有する電流源ユニットをＭ個有し、
前記電流源ユニットの第３のセレクタと第１の出力端子の間には信号増幅手段３を有し、
前記電流源ユニットの第３のセレクタと第２の出力端子の間には信号増幅手段４を有し、
前記電流源ユニットにおいて第３のセレクタは第１の出力端子を選択した状態３と、第２の出力端子を選択した状態４の２つの状態を切り替えるための電流源ユニット用制御信号をＭ個有し、
前記Ｍ個の電流源ユニット用制御信号は第２の周期で周期的に変化し、
前記Ｍ個の電流源ユニットの状態３と状態４のくみあわせの数が４パターン以上である
事を特徴とする演算増幅回路